(57)【要約】【課題】  車両前面衝突時に、車両前端部に取り付けた電装部品を保護する電装部品保護構造を得る。【解決手段】  電装部品３をフロントサイドメンバ１に取り付けるブラケット５を、フロントサイドメンバ１に対して回動可能に設けるとともに、当該ブラケット５の前方に前方配置部材６を設け、通常時には、ブラケット５の回動が規制され、車両前面衝突時には、前方配置部材６が後退してブラケット５を押し込み、ブラケット５が後方に回動するようにした。【選択図】      図３
2007038806.tif 000002
【特許請求の範囲】
【請求項１】
電装部品を車両前部の車体構成部材に取り付けるブラケットと、
前記ブラケットの前方に設けた前方配置部材と、
を備え、
前記ブラケットは、前記車体構成部材に回動可能に取り付けられ、
通常時には、前記ブラケットの回動が規制され、
車両前面衝突時には、前記前方配置部材が後退して前記ブラケットを押し込むことで当該ブラケットが後方に回動するように構成したことを特徴とする電装部品保護構造。
【請求項２】
通常時には、前記前方配置部材が前記ブラケットを係止することで当該ブラケットの回動が規制され、
車両前面衝突時には、前記前方配置部材が後退することで当該前方配置部材によるブラケットの係止が解除されるように構成したことを特徴とする請求項１に記載の電装部品保護構造。
【請求項３】
通常時には、前記前方配置部材が緩衝部材を介して前記ブラケットを係止することを特徴とする請求項２に記載の電装部品保護構造。
【請求項４】
前記ブラケットが所定の角度位置より後方へ回動するのを規制するストッパを設けたことを特徴とする請求項１〜３のうちいずれか一つに記載の電装部品保護構造。
【発明の詳細な説明】
【技術分野】
【０００１】
本発明は、車両前面衝突時に車両前部の電装部品を保護する電装部品保護構造に関する。
【背景技術】
【０００２】
従来、車両前部に電装部品を取り付けた構造として、特許文献１に開示されるものが知られている。
【０００３】
この特許文献１では、電装部品は、ダッシュアッパエクステンションに取り付けられている。ダッシュアッパエクステンションは比較的後方に位置しているため、電装部品がフロントバンパ等の車両前端部に設けられる場合に比べると、車両前面衝突時に当該電装部品が破損する可能性は低い。
【特許文献１】特許第３４８９４５８号公報
【発明の開示】
【発明が解決しようとする課題】
【０００４】
しかしながら、赤外線カメラや先行車追従走行制御用のレーダセンサ等のように、車両前端部に取り付けざるを得ない電装部品がある。従来、車両前面衝突時に、このような電装部品を有効に保護する手段は存在しなかった。
【０００５】
そこで、本発明は、車両前面衝突時に、車両前端部に取り付けた電装部品を保護する電装部品保護構造を得ることを目的とする。
【課題を解決するための手段】
【０００６】
本発明にかかる電装部品保護構造にあっては、電装部品を車両前部の車体構成部材に取り付けるブラケットと、上記ブラケットの前方に設けた前方配置部材と、を備え、上記ブラケットは、上記車体構成部材に回動可能に取り付けられ、通常時には、上記ブラケットの回動が規制され、車両前面衝突時には、上記前方配置部材が後退して上記ブラケットを押し込むことで当該ブラケットが後方に回動するように構成したことを最も主要な特徴とする。
【発明の効果】
【０００７】
本発明によれば、車両前面衝突時に、前方配置部材によってブラケットを押し込むことで当該ブラケットを車両後方へ回動させ、車両前端部の潰れる領域から電装部品を後方へ逃がして、当該電装部品を保護することができる。
【発明を実施するための最良の形態】
【０００８】
以下、本発明の実施形態について図面を参照しながら詳細に説明する。
【０００９】
図１〜図８は、本発明にかかる電装部品保護構造の一実施形態を示しており、図１は、車両前端部に電装部品を取り付けた状態の斜視図、図２は、電装部品を取り付けた状態の側面図、図３は、車両前面衝突時にブラケットが後方に回動した状態を示す側面図、図４は、ブラケットの分解斜視図、図５は、前方配置部材の斜視図、図６は、ブラケットと前方配置部材とが係合した状態を示す平面図、図７は、車両前面衝突時にブラケットと前方配置部材との係合が解除された状態を示す平面図、図８は、図６のＡ−Ａ断面図である。
【００１０】
車両前部の車体構成部材としてのフロントサイドメンバ１は、車幅方向両端部で、車両前後方向に延設されている。そして、左右両側のフロントサイドメンバ１の前端部間に、車体構成部材としてのバンパレインフォース２が跨設されている。
【００１１】
本実施形態では、これらフロントサイドメンバ１およびバンパレインフォース２に、取付機構４を介して電装部品３が取り付けられている。
【００１２】
車両前端部に設けられる電装部品３としては、例えば、夜間等に人間や動物等を検知する赤外線カメラや、車両前方に存在する先行車の方向や先行車との車間距離等を検出するレーダセンサなどがある。
【００１３】
一方、取付機構４は、左右いずれか一方のフロントサイドメンバ１上に固定されたブラケット５と、このブラケット５の前方でバンパレインフォース２上に固定された前方配置部材６と、を備える。
【００１４】
ブラケット５は、フロントサイドメンバ１の上面に例えばボルトによって固定されて当該フロントサイドメンバ１の内側縁を超えて車幅方向内側に張り出す矩形板状の固定部５ａと、この固定部５ａの前縁に設けられたヒンジ部５ｂを介して当該固定部５ａに回動可能に支持される可動部５ｃと、を備える。可動部５ｃは、図２に示す通常状態でヒンジ部５ｂから一定幅で前方かつ上方に伸びる縦壁部５ｄと、同じく通常状態で縦壁部５ｄの上端縁から前方に向けてほぼ水平方向に伸びる矩形板状の取付壁部５ｅと、を含む。そして、取付壁部５ｅの上面に電装部品３が固定される。なお、ヒンジ部５ｂの回動軸は車幅方向に延設されているため、可動部５ｃならびにこの可動部５ｃに取り付けられた電装部品３は、回動すると、車両前後方向後方に移動することになる。
【００１５】
一方、前方配置部材６は、本実施形態では矩形の板状部材を折曲して形成されており、バンパレインフォース２の上面に例えばボルトによって固定された矩形板状のフランジ部６ａと、このフランジ部６ａの後端縁から後方へ向けて伸びるアーム部６ｂと、を備える。アーム部６ｂは側面視で略山形状に形成され、取付壁部５ｅの下方に近接して該取付壁部５ｅと略平行に所定の間隔をあけて配置される矩形板状の支持壁部６ｃと、支持壁部６ｃの後端縁から後方かつ下方に伸びる矩形板状の押込壁部６ｄと、を含む。
【００１６】
上述したように、ブラケット５の可動部５ｃは回動可能に構成されるが、通常状態では、その回動が規制されるようになっている。本実施形態では、前方配置部材６がブラケット５の可動部５ｃを係止することで、当該可動部５ｃの回動が規制される。
【００１７】
即ち、前方配置部材６の支持壁部６ｃには、図５〜図７に示すように、前方側の大径穴９ａと後方側の小径穴９ｂとを連接させて平面視で略ひょうたん型に形成した係合穴９を設ける一方、ブラケット５の取付壁部５ｅの下面には、図４に示すように、通常状態で前記小径穴９ｂに対応する位置に、ゴムや樹脂等の弾性体からなる緩衝部材８を固着している。ここで、図８に示すように、緩衝部材８の上下方向の中央部には縮径部８ａを、また、その縮径部８ａの上下にはそれぞれ拡径部８ｂを形成している。さらに、縮径部８ａの外径を小径穴９ｂの内径より小さくする一方、拡径部８ｂの外径を小径穴９ｂの内径より大きく、かつ大径穴９ａの内径より小さくしている。そして、通常状態では、縮径部８ａを小径穴９ｂに挿通させるようにして、小径穴９ｂの上下両側に拡径部８ｂをそれぞれ張り出させ、かくして、緩衝部材８によって可動部５ｃの上下動、即ち可動部５ｃの回動が規制される状態、つまり、ブラケット５が前方配置部材６によって係止される状態を構築している。
【００１８】
なお、本実施形態では、前方配置部材６が、緩衝部材８を介してブラケット５、即ち電装部品３を支持していることが容易に理解できよう。
【００１９】
一方、車両前面衝突時には、ブラケット５の回動規制が解除され、ブラケット５およびこれに取り付けられた電装部品３が後方に回動する。本実施形態では、車両前面衝突時に、前方配置部材６が後方に移動し、前方配置部材６によるブラケット５の係止が解除されるようになっている。
【００２０】
即ち、車両前面衝突時には、バンパレインフォース２やフロントサイドメンバ１等の変形に伴い、前方配置部材６が後方に移動する。ここで、バンパレインフォース２はフロントサイドメンバ１よりも前方に配置されており、フロントサイドメンバ１よりも先に変形し、前方配置部材６の取付点が従前の位置より後方に移動するため、前方配置部材６は、ブラケット５に対して相対的に後方へ移動する。その結果、緩衝部材８が相対的に小径穴９ｂ内（図６）から大径穴９ａ内（図７）へと移動して、当該緩衝部材８の縮径部８ａと係合穴９の小径穴９ｂとの係合が外れ、以て、前方配置部材６によるブラケット５の係止が解除され、ブラケット５の可動部５ｃが後方へ回動可能な状態となる。
【００２１】
さらに、前方配置部材６がブラケット５に対して相対的に後方へ移動すると、ブラケット５は前方配置部材６によって後方に押し込まれる。本実施形態では、前方配置部材６の押込壁部６ｄがブラケット５の縦壁部５ｄを後方に押し込む。このとき、上述したように、ブラケット５の回動規制が解除されているため、当該縦壁部５ｄはヒンジ部５ｂの軸周りに後方へ（ヒンジ部５ｂの軸の上側を前方から後方へ、図３では時計回り方向に）回動する。即ち、本実施形態によれば、車両前面衝突時には、可動部５ｃの取付壁部５ｅに取り付けられた電装部品３を車両後方に回動させることで、車両前部の潰れ領域から電装部品３を逃がし、これを保護することができる。
【００２２】
ところで、本実施形態では、車両前面衝突時に後方へ回動したブラケット５が所定の角度位置よりも後方へ回動するのを規制するストッパ７が設けられている。具体的には、図４に示すように、側面略Ｓ字状に形成されたストッパ７がブラケット５の固定部５ａ上に突設されており、可動部５ｃが後方へ回動した際に、当該ストッパ７が、縦壁部５ｄを保持することで、可動部５ｃの回動を所定の角度位置で停止させるようにしている。これにより、電装部品３を回動させた際に、当該電装部品３がその後方の他の部品と干渉するのを抑制し、より一層確実に電装部品３を保護することができる。
【００２３】
以上の本実施形態によれば、車両前面衝突時に後退した前方配置部材６によって電装部品３を取り付けるブラケット５を押し込み、当該ブラケット５を車両後方へ回動させる構造としたため、車両前端部の潰れ領域から当該電装部品３を逃がしてこれを保護することができる。
【００２４】
また、本実施形態によれば、通常時には、ブラケット５を前方配置部材６によって係止することで、ブラケット５の回動をより確実に規制することができる。そして、押込用部材としての前方配置部材６を、係止用部材としても利用することで、押込用部材と係止用部材とを別個に設けた場合に比べて部品点数の増加を抑えてコスト的に有利に得ることができる。
【００２５】
また、本実施形態によれば、前方配置部材６とブラケット５との間に緩衝部材８を介在させているため、走行時に可動部５ｃひいては電装部品３の振動を抑制することができる。そして、この緩衝部材８を係止用部材としても利用することで、緩衝部材と係止用部材とを別個に設けた場合に比べて部品点数の増加を抑えてコスト的に有利に得ることができる。
【００２６】
また、本実施形態によれば、ストッパ７をブラケット５の固定部５ａ上に設け、可動部５ｃが後方へ回動した際に、当該ストッパ７が縦壁部５ｄを保持することで、可動部５ｃの回動を所定の角度位置で停止させる構造としたため、電装部品３と当該電装部品３の後方に位置する他の部品とが互いに干渉するのを抑制し、電装部品３をより一層確実に保護することができる。
【００２７】
本発明の電装部品保護構造は、上記実施形態を例にして説明したが、この実施形態に限ることなく本発明の要旨を逸脱しない範囲で他の実施形態を各種採用することができる。
【００２８】
例えば、上記実施形態においては、前方配置部材をブラケットの回動を規制するための部材として用いたが、別途回動を規制するための部材を設けてもよい。
【００２９】
また、前方配置部材やブラケット等の形状も、上記実施形態の形状に限られることなく、種々の形状を取り得る。
【００３０】
また、上記実施形態のように、前方配置部材によってブラケットを係止することで、ブラケットの回動を規制するのに替えて、別の方式、例えば、接着剤を使用して前方配置部材とブラケットとを接着しておき、車両前面衝突時に、当該接着部分が剥れるようにした構造を採用してもよい。
【００３１】
また、上記実施形態では、ブラケットに緩衝部材を設置したが、前方配置部材に設けてもよいし、前方配置部材とブラケットの両方に設けてもよい。さらに、緩衝部材の形状も、前方配置部材とブラケットとを係合することができる限り、種々の形状を取ることができる。
【００３２】
また、ストッパも、ブラケットの所定角度位置以上の回動を規制できるものであればよく、種々の形状を取り得る。
【図面の簡単な説明】
【００３３】
【図１】本発明の一実施形態における車両前端部に電装部品を取り付けた状態の斜視図。
【図２】本発明の一実施形態における電装部品を取り付けた状態の側面図。
【図３】本発明の一実施形態における車両前面衝突時にブラケットが後方に回動した状態を示す側面図。
【図４】本発明の一実施形態におけるブラケットの分解斜視図。
【図５】本発明の一実施形態における前方配置部材の斜視図。
【図６】本発明の一実施形態におけるブラケットと前方配置部材とが係合した状態を示す平面図。
【図７】本発明の一実施形態における車両前面衝突時にブラケットと前方配置部材との係合が解除された状態を示す平面図。
【図８】図６のＡ−Ａ断面図。
【符号の説明】
【００３４】
１  フロントサイドメンバ（車体構成部材）
２  バンパレインフォース（車体構成部材）
３  電装部品
５  ブラケット
６  前方配置部材
７  ストッパ
８  緩衝部材
【図１】
2007038806.tif 000003
【図２】
2007038806.tif 000004
【図３】
2007038806.tif 000005
【図４】
2007038806.tif 000006
【図５】
2007038806.tif 000007
【図６】
2007038806.tif 000008
【図７】
2007038806.tif 000009
【図８】
2007038806.tif 000010